(57)【特許請求の範囲】
【請求項１】
所定の温度以上で発熱体収納装置内の冷却を行なう冷却装置であって、
第１環境用の第１吸気口と第１吐出口および第２環境用の第２吸気口と第２吐出口を有する本体ケースと、
この本体ケース内に設けられた第１環境用の第１の送風ファンおよび第２環境用の第２の送風ファンと、
前記本体ケース内において第１環境の空気と第２環境の空気との熱交換を行う熱交換器と、
前記第１および第２の送風ファンの制御を行う制御手段としての制御装置と、
前記本体ケース内に設けられ、前記熱交換器をバイパスして前記第２環境の空気を循環させて加熱する加熱循環風路と、
前記加熱循環風路の空気を送風する第３の送風ファンと、
前記加熱循環風路を通す空気を加熱するヒーターを備え、
前記加熱循環風路は、
第２吸気口の内側に備えて第２環境の空気を加熱循環風路内へ案内するダンパーと、
本体ケース下部に配置して加熱循環風路内の空気を加熱する加熱空間と、
前記加熱空間と第２環境を連通する第３吐出口を備え、
前記ダンパーは、前記所定の温度以上になると、前記制御装置によって閉鎖されるとともに、
前記第３の送風ファンおよびヒーターは、前記所定の温度よりも高い温度に予め設定された温度を超えるとオフすることを特徴とする冷却装置。
【請求項２】
加熱空間内に収まる様に設けた加熱ユニットにヒーターおよび第３の送風ファンを備え、本体ケース側面よりスライド式に加熱ユニットを引き出すことができることを特徴とする請求項１記載の冷却装置。
【請求項３】
前記第３の送風ファンおよびヒーターは、前記所定の温度よりも高い温度に予め設定された温度を超えるとオフする温度スイッチにより動作させることを特徴とする請求項１または２記載の冷却装置。
【請求項４】
通常オン状態であるスイッチ素子を加熱空間に設け、
このスイッチ素子と制御装置とを信号線で接続し、
前記制御装置が、前記スイッチ素子を開閉する動作を行うことによって、前記第３の送風ファンおよびヒーターを、前記所定の温度よりも高い温度に予め設定された温度を超えるとオフさせることを特徴とする請求項１または２記載の冷却装置。
【請求項５】
温度スイッチと通常オン状態であるスイッチ素子を直列に接続して加熱空間に設け、
このスイッチ素子と制御装置を信号線で接続し、
前記温度スイッチの動作または前記制御装置によるスイッチ素子の開閉動作によって、前記第３の送風ファンおよびヒーターを、前記所定の温度よりも高い温度に予め設定された温度を超えるとオフさせる請求項１または２記載の冷却装置。
【請求項６】
通常オン状態である第１のスイッチ素子および第２のスイッチ素子を加熱空間に設け、
ヒーターおよび第３の送風ファンと商用の交流電源の間にそれぞれ前記第１のスイッチ素子および前記第２のスイッチ素子を接続し、
さらに、前記制御装置と、第１のスイッチ素子、第２のスイッチ素子それぞれとを信号線で接続し、
前記制御装置による前記第１のスイッチ素子および第２のスイッチ素子の開閉動作によって、前記第３の送風ファンおよびヒーターを、前記所定の温度よりも高い温度に予め設定された温度を超えるとオフさせる請求項１または２記載の冷却装置。
【請求項７】
発熱体収納装置内から冷却装置に供給される直流電源の出力電圧を監視する直流電源監視手段を制御装置に備え、前記直流電源が冷却装置に入力されたとこの直流電源監視手段が判断することによりにダンパーを加熱循環風路側に倒し、前記スイッチ素子を開操作することを特徴とする請求項４〜６いずれかひとつに記載の冷却装置。
【請求項８】
制御装置に備えた発熱体収納装置の室温を測定する室内温度検知手段が、予め設定された所定の温度を超えたと判断した場合に、ダンパーを加熱循環風路側に倒し、前記スイッチ素子を開操作することを特徴とする請求項４〜６いずれかひとつに記載の冷却装置。
【請求項９】
制御装置に備えた発熱体収納装置の室温を測定する室内温度検知手段が、発熱体収納装置内に備えられた各種機器が安定的に動作できる動作上限温度に対して低めの温度である予め設定された警告温度を超えたと判断した場合に、第２のスイッチ素子を閉とし、第３の送風ファンを駆動させることを特徴とする請求項６記載の冷却装置。
【発明の詳細な説明】
【技術分野】
【０００１】
本発明は、発熱体が収納された発熱体収納装置内を冷却するための冷却装置において、主機能である冷却機能とは別に、発熱体収納装置内の温度に応じて発熱体収納装置内を暖める加熱機能を備えた冷却装置に関するものである。
【背景技術】
【０００２】
従来、この種の冷却装置として、発熱体収納装置壁面に設けた熱交換器と循環送風手段を用いて発熱体収納装置の外気と発熱体収納装置内の内気を熱伝導させることで発熱体収
納装置内を冷却する構成に加えて、ヒーターを備えた加熱装置を内気循環風路内に備えたものがあり、図１２に示したものなどが一般的であった（先行文献として特許文献１を参照）。
【０００３】
以下、その冷却装置について図１２、図１３および図１４を参照しながら説明する。
【０００４】
図１２に示すように、発熱体収納装置１０１内には、熱負荷を発生する通信機１０２やその他の機器（図示せず）が備えられ、発熱体収納装置１０１の壁面に設置した冷却装置１０３の本体ケース１０４内には、発熱体収納装置１０１の外気を循環させる第１の送風ファン１０５と発熱体収納装置１０１内の内気を循環させる第２の送風ファン１０６を備え、これら第１および第２の送風ファン１０５、１０６により循環する送風風路に熱交換器１０７を備え、前記第１および第２の送風ファン１０５、１０６を制御する制御装置１０８を備え、発熱体収納装置１０１内の室温が発熱体収納装置１０１外の外気温度より高い場合に前記第１の送風ファン１０５と第２の送風ファン１０６を動作させて前記熱交換器１０７に発熱体収納装置１０１内の内気と発熱体収納装置１０１外の外気を循環させて発熱体収納装置１０１内の内気の温度を発熱体収納装置１０１外の外気に熱伝導させて発熱体収納装置１０１内を冷却する構成となっている。
【０００５】
また、冷却装置１０３には、発熱体収納装置１０１内を加熱するためのヒーター１０９が第２の送風ファン１０６による内気の送風風路から斜め下方に向けて備えた吐出口のガイダー１１０の間に挟まれて設置されている。
【０００６】
一方、図１３に示すように、発熱体収納装置１０１には外部より供給される商用の交流電源１１１の入力電圧Ｖ０が供給されている。この交流電源１１１は、発熱体収納装置１０１内の室温がある規定の稼動温度Ｔ０（例えば２０℃）を越えないと動作しない交流直流変換装置１１２に接続されていて、交流直流変換装置１１２は、発熱体収納装置１０１内の通信機１０２やその他の機器（図示せず）に直流電源１１３の出力電圧Ｖ１として直流電圧を供給している。また、交流直流変換装置１１２は、冷却装置１０３にも、直流電源１１３の出力電圧Ｖ１を供給している。加えて、前記交流電源１１１の入力電圧Ｖ０は、発熱体収納装置１０１内を加熱するための電力としても供給されている。
【０００７】
また、図１４に示すように、冷却装置１０３に供給される交流電源１１１の入力電圧Ｖ０は冷却装置１０３内に備えた交流直流変換手段としてのトランス１１４や整流器１１５、平滑コンデンサー１１６により直流電圧Ｖ２を生成し、この交流電源１１１はヒーター１０９への通電を入り切りするａ接点形リレー１１７を介してヒーター１０９に接続し、また、直流電圧Ｖ２は、第１の送風ファン１０５と第２の送風ファン１０６およびこれら第１の送風ファン１０５と第２の送風ファン１０６とａ接点形リレー１１７を駆動する制御装置１０８内のコントロール基板１１８に第１の逆流防止ダイオード１１９を介して接続し、前記直流電圧Ｖ２は、前記直流電源１１３の出力電圧Ｖ１と第２の逆流防止ダイオード１２０を介して接続している。
【０００８】
上記構成において、発熱体収納装置１０１が設置されて、発熱体収納装置１０１を稼動させるために交流電源１１１が発熱体収納装置１０１に印加されると発熱体収納装置１０１内の室温がある規定の稼動温度Ｔ０（例えば２０℃）を越えていると、交流直流変換装置１１２が動作して、出力電圧Ｖ１を出力し、通信機１０２やその他の機器（図示せず）が稼動するとともに、冷却装置１０３も室温と外気温の状況に応じて、つまり室温＞外気温の状態にて第１の送風ファン１０５と第２の送風ファン１０６を適宜動作させて、通信機１０２やその他の機器により暖められた発熱体収納装置１０１内の内気を冷却することとなる。
【０００９】
一方、発熱体収納装置１０１内の室内温度がある規定の稼動温度Ｔ０（例えば２０℃）を越えていない低温下の場合には、冷却装置１０３は交流電源１１１の入力電圧Ｖ０を受けることとなり、コントロール基板１１８はａ接点形リレー１１７を入り状態としてヒーター１０９に通電するとともに第２の送風ファン１０６を駆動させて、発熱体収納装置１０１内に加熱空気を循環させて徐々に発熱体収納装置１０１内を暖めていき、発熱体収納装置１０１内をある規定の稼動温度Ｔ０（例えば２０℃）を越えるまで上述の動作を続け、交流直流変換装置１１２が動作して出力電圧Ｖ１を出力し、通信機１０２やその他の機器（図示せず）が動作し、低温下でも発熱体収納装置１０１が稼動することとなっていた。
【先行技術文献】
【特許文献】
【００１０】
【特許文献１】特開２００１−１４１２５５号公報
【発明の概要】
【発明が解決しようとする課題】
【００１１】
このような従来の冷却装置１０３において、ヒーター１０９に通電し第２の送風ファン１０６を駆動し、発熱体収納装置１０１内の内気を循環させることによる加熱時には、加熱された内気が熱交換器１０７を通って循環するので、発熱体収納装置１０１外の外気を循環させる第１の送風ファン１０５が停止しているとは言え、少なからず加熱した内気の熱が外気に熱伝導して逃げてしまい、加熱効率が落ちてしまうという課題があった。そこで、加熱した内気の熱が外気に逃げ難く加熱効率の良い加熱機構が冷却装置に求められていた。
【００１２】
また、加熱時の性能を考慮することにより、通常の冷却循環風路内にヒーターを備えたため、冷却時には循環風の抵抗となり、循環風量が低下して冷却性能の低下も招き、循環風量を維持するために循環手段である第２の送風ファン１０６の風速を上げる必要があり、第２の送風ファン１０６を駆動するファンモーターの電力消費量を上げることなり、低消費電力化が求められる昨今の状況下に於いては、時代の流れに沿わないものであった。すなわち低消費電力化が求められていると同時に、冷却性能の向上も求められている。
【００１３】
さらに、斜め下方に向いた内気吐出口のガイダーにより加熱された内気が発熱体収納装置を底部より暖める配慮がなされているが、上述の通り、ヒーター１０９が循環風の抵抗となり、底部全体に加熱された内気を届けるために、風速と風量を上げなければならなく、低消費電力の要求を満足し得ないものとなっていた。
【００１４】
また、第２の送風ファンを動作させるため交流直流変換手段であるトランス、コンデサー、整流器、逆流防止ダイオードなどと言った電気電子部品を設置する箇所は、冷却装置に供給される直流電源と接続する必要性より、設置は制御装置内、もしくは近傍ということになり、冷却装置下方に設置したヒーターとの設置距離が遠くなる。発熱体収納装置を暖める機能が損なわれた故障の場合、加熱空気を循環させる第２の送風ファンが故障し動作しない場合もメンテナンスが必要となり、メンテナンスや交換時には、発熱体収納装置を暖める機能部品が分散された配置であるために手間取ることとなり、短時間の容易なメンテナンス性能が求められている。
【００１５】
このような冷却装置において、加熱効率の良い、低消費電力で、冷却性能も良く、省スペース性のある、メンテナンス性が良い冷却装置を提供することを目的とするものである。
【課題を解決するための手段】
【００１６】
そして、この目的を達成するめに本発明は、所定の温度以上で発熱体収納装置内の冷却を行なう冷却装置であって、
第１環境用の第１吸気口と第１吐出口および第２環境用の第２吸気口と第２吐出口を有する本体ケースと、この本体ケース内に設けられた第１環境用の第１の送風ファンおよび第２環境用の第２の送風ファンと、前記本体ケース内において第１環境の空気と第２環境の空気との熱交換を行う熱交換器と、前記第１および第２の送風ファンの制御を行う制御手段としての制御装置と、前記本体ケース内に設けられ、前記熱交換器をバイパスして前記第２環境の空気を循環させて加熱する加熱循環風路と、前記加熱循環風路の空気を送風する第３の送風ファンと、前記加熱循環風路を通す空気を加熱するヒーターを備え、前記加熱循環風路は、第２吸気口の内側に備えて第２環境の空気を加熱循環風路内へ案内するダンパーと、本体ケース下部に配置して加熱循環風路内の空気を加熱する加熱空間と、前記加熱空間と第２環境を連通する第３吐出口を備え、前記ダンパーは、前記所定の温度以上になると、前記制御装置によって閉鎖されるとともに、前記第３の送風ファンおよびヒーターは、前記所定の温度よりも高い温度に予め設定された温度を超えるとオフする構成にしたものであり、これにより所期の目的を達成するものである。
【発明の効果】
【００１７】
本発明によれば、所定の温度以上で発熱体収納装置内の冷却を行なう冷却装置であって、
第１環境用の第１吸気口と第１吐出口および第２環境用の第２吸気口と第２吐出口を有する本体ケースと、この本体ケース内に設けられた第１環境用の第１の送風ファンおよび第２環境用の第２の送風ファンと、前記本体ケース内において第１環境の空気と第２環境の空気との熱交換を行う熱交換器と、前記第１および第２の送風ファンの制御を行う制御手段としての制御装置と、前記本体ケース内に設けられ、前記熱交換器をバイパスして前記第２環境の空気を循環させて加熱する加熱循環風路と、前記加熱循環風路の空気を送風する第３の送風ファンと、前記加熱循環風路を通す空気を加熱するヒーターを備え、前記加熱循環風路は、第２吸気口の内側に備えて第２環境の空気を加熱循環風路内へ案内するダンパーと、本体ケース下部に配置して加熱循環風路内の空気を加熱する加熱空間と、前記加熱空間と第２環境を連通する第３吐出口を備え、前記ダンパーは、前記所定の温度以上になると、前記制御装置によって閉鎖されるとともに、前記第３の送風ファンおよびヒーターは、前記所定の温度よりも高い温度に予め設定された温度を超えるとオフする構成にしたことにより、発熱体収納装置内の温度が予め設定された温度より低い場合に、加熱循環風路に設けたダンパーを開状態のままとし、加熱循環風路が開放され、前記第３の送風ファンおよびヒーターには通電されて動作し、加熱された第２環境の空気が加熱循環風路を通じて循環することとなるので熱逃げが少なく、効率良く加熱することができるという効果を奏する。
【図面の簡単な説明】
【００１８】
【図１】本発明の実施の形態１の冷却装置の構成を示す図
【図２】同実施の形態１の冷却装置の回路構成を示す回路ブロック図
【図３】同実施の形態１の制御装置の構成を示すブロック図
【図４】本発明の実施の形態２の冷却装置の構成を示す図（（ａ）加熱ユニットケース部分の拡大図、（ｂ）加熱ユニットを引き出した状態を示す図）
【図５】本発明の実施の形態３の冷却装置の構成を示す図
【図６】同実施の形態３の冷却装置の回路構成を示す回路ブロック図
【図７】同実施の形態３の制御装置の構成を示すブロック図
【図８】本発明の実施の形態４の冷却装置の回路構成を示す回路ブロック図
【図９】本発明の実施の形態５の冷却装置の回路構成を示す回路ブロック図
【図１０】同実施の形態５の制御装置の構成を示すブロック図
【図１１】本発明の実施の形態６の制御装置の構成を示すブロック図
【図１２】従来例の冷却装置の構成を示す図
【図１３】同従来例の発熱体収納装置内の電気回路ブロック図
【図１４】同従来例の冷却装置の回路構成を示す回路ブロック図
【発明を実施するための形態】
【００１９】
本発明の請求項１記載の冷却装置は、所定の温度以上で発熱体収納装置内の冷却を行なう冷却装置であって、
第１環境用の第１吸気口と第１吐出口および第２環境用の第２吸気口と第２吐出口を有する本体ケースと、この本体ケース内に設けられた第１環境用の第１の送風ファンおよび第２環境用の第２の送風ファンと、前記本体ケース内において第１環境の空気と第２環境の空気との熱交換を行う熱交換器と、前記第１および第２の送風ファンの制御を行う制御手段としての制御装置と、前記本体ケース内に設けられ、前記熱交換器をバイパスして前記第２環境の空気を循環させて加熱する加熱循環風路と、前記加熱循環風路の空気を送風する第３の送風ファンと、前記加熱循環風路を通す空気を加熱するヒーターを備え、前記加熱循環風路は、第２吸気口の内側に備えて第２環境の空気を加熱循環風路内へ案内するダンパーと、本体ケース下部に配置して加熱循環風路内の空気を加熱する加熱空間と、前記加熱空間と第２環境を連通する第３吐出口を備え、前記ダンパーは、前記所定の温度以上になると、前記制御装置によって閉鎖されるとともに、前記第３の送風ファンおよびヒーターは、前記所定の温度よりも高い温度に予め設定された温度を超えるとオフするという構成を有する。
【００２０】
これにより、発熱体収納装置内の温度が予め設定された温度より低い場合に、加熱循環風路に設けたダンパーを開状態のままとし、加熱循環風路が開放され、前記第３の送風ファンおよびヒーターに通電されて動作し、加熱された第２環境の空気が加熱循環風路を通じて循環することとなるので熱逃げが少なく、効率良く加熱することができるという効果を奏する。
【００２１】
また、加熱空間内に収まる様に設けた加熱ユニットにヒーターおよび第３の送風ファンを備え、本体ケース側面よりスライド式に加熱ユニットを引き出すことができるという構成にしてもよい。これにより、加熱性能が所定の性能を出さない故障時にヒーターあるいは第３の送風ファンなどを点検する場合に発熱体収納装置の設置された扉を開けて発熱体収納装置の側面が露出しただけで加熱ユニットを取り出して短絡や開放故障の点検などを検査することができるのでメンテナンス性が良くなるという効果を奏する。
【００２２】
また、通常オン状態であるスイッチ素子を加熱空間に設け、このスイッチ素子と制御装置とを信号線で接続し、前記制御装置が、前記スイッチ素子を開閉する動作を行うことによって、前記第３の送風ファンおよびヒーターを、前記所定の温度よりも高い温度に予め設定された温度を超えるとオフさせるという構成にしてもよい。これにより、必要な時にヒーターおよび第３の送風ファンを停止することができるので無駄のない低消費電力が実現できるという効果を奏する。
【００２３】
また、温度スイッチと通常オン状態であるスイッチ素子を直列に接続して加熱空間に設け、このスイッチ素子と制御装置を信号線で接続し、前記温度スイッチの動作または前記制御装置によるスイッチ素子の開閉動作によって、前記第３の送風ファンおよびヒーターを、前記所定の温度よりも高い温度に予め設定された温度を超えるとオフさせるという構成にしてもよい。これにより、温度スイッチの動作するタイミングとスイッチ素子の動作するタイミングを変えることができるので温度スイッチを過温度保護機能として作用させることができ火傷に対する安全性を有するという効果を奏する。
【００２４】
また、通常オン状態である第１のスイッチ素子および第２のスイッチ素子を加熱空間に
設け、ヒーターおよび第３の送風ファンと商用の交流電源の間にそれぞれ前記第１のスイッチ素子および前記第２のスイッチ素子を接続し、さらに、前記制御装置と、第１のスイッチ素子、第２のスイッチ素子それぞれとを信号線で接続し、前記制御装置による前記第１のスイッチ素子および第２のスイッチ素子の開閉動作によって、前記第３の送風ファンおよびヒーターを、前記所定の温度よりも高い温度に予め設定された温度を超えるとオフさせる構成にしてもよい。これにより、ヒーターと第３の送風ファンへの通電を遮断するタイミングをずらすことができるので、ヒーターへの通電遮断後も第３の送風ファンへの通電を続けることにより加熱しているヒーター自身を冷却することができ火傷に対する安全性を有するという効果を奏する。
【００２５】
また、発熱体収納装置内から冷却装置に供給される直流電源の出力電圧を監視する直流電源監視手段を制御装置に備え、前記直流電源が冷却装置に入力されたとこの直流電源監視手段が判断することによりにダンパーを加熱循環風路側に倒し、スイッチ素子あるいは第１のスイッチ素子あるいは第２のスイッチ素子を開操作するという構成にしてもよい。これにより、直流電源が供給されることは交流直流変換装置が動作したことを示し、つまり、発熱体収納装置内の温度がある規定の温度に達し、発熱体収納装置の稼動が可能となった状態を示したこととなるので、加熱するためにヒーターおよび第３の送風ファンへの通電を行う必要はなく無駄な電力を要しない低消費電力が実現できるという効果を奏する。
【００２６】
また、制御装置に備えた発熱体収納装置の室温を測定する室内温度検知手段が、予め設定された所定の温度を超えたと判断した場合に、ダンパーを加熱循環風路側に倒し、スイッチ素子あるいは第１のスイッチ素子あるいは第２のスイッチ素子を開操作するという構成にしてもよい。これにより、発熱体収納装置内の温度がある規定の稼動温度に達し、発熱体収納装置の稼動が可能となった状態を示したこととなるので、加熱するためにヒーターおよび第３の送風ファンへの通電を行う必要はなく無駄な電力を要しない低消費電力が実現できるという効果を奏する。
【００２７】
また、制御装置に備えた発熱体収納装置の室温を測定する室内温度検知手段が、発熱体収納装置内に備えられた各種機器が安定的に動作できる動作上限温度に対して低めの温度である予め設定された警告温度を超えたと判断した場合に、第２のスイッチ素子を閉とし、第３の送風ファンを駆動させるという構成にしてもよい。これにより、第３の送風ファンの駆動により発熱体収納装置内の内気の循環量を増大することができ発熱体収納装置内の内気を冷却する冷却性能の向上が図れるという効果を奏する。
【００２８】
以下、本発明の実施の形態について図面を参照しながら説明する。
【００２９】
（実施の形態１）
図１、図２および図３に示すように、発熱体収納装置１０１内には、熱負荷を発生する通信機１０２やその他の機器（図示せず）が収められ、前記発熱体収納装置１０１のキャビネット１を開閉する扉部２には冷却装置１０３を備えている。冷却装置１０３には、第１環境として前記発熱体収納装置１０１の外部の空気である外気（以下、外気と称す）用の第１吸入口３と第１吐出口４および第２環境として前記発熱体収納装置１０１内の空気である内気（以下、内気と称す）用の第２吸入口５と第２吐出口６を有する本体ケース１０４と、この本体ケース１０４内に設けられた外気用の第１の送風ファン１０５および内気用の第２の送風ファン１０６と、前記本体ケース１０４内において外気と内気を直接入り交じること無く熱交換を行う熱交換器１０７とを備え、第１の送風ファン１０５と第２の送風ファン１０６を制御する制御装置１０８を備え、内気の温度（＝室温）を計測するべく第２吸入口５内に室温サーミスター７と外気の温度を計測するべく第１吸入口３内に外気温サーミスター８を備えて、前記室温サーミスター７と前記外気温サーミスター８が
それぞれ制御装置１０８に接続されている。
【００３０】
熱交換器１０７は、伝熱板を重ねて伝熱板間に第１環境用の風路と第２環境用の風路を交互に形成したハニカム構造体であって一層の風路の高さが３ｍｍ程度のものである。
【００３１】
前記本体ケース１０４と熱交換器１０７の内気側との間に１ｃｍ程度の空間距離を有する加熱循環風路９を設け、その加熱循環風路９の上部には熱交換器１０７と本体ケース１０４の隙間を塞ぐための制御装置１０８より制御されるダンパー１０を設け、この加熱循環風路９の下部には第１の送風ファン１０５を有するチャンバー１１内に断熱遮蔽板１２を設けて、この断熱遮蔽板１２の内気側に第３の送風ファン１３と加熱手段としてのヒーター１０９を備えた加熱空間１４を設け、このヒーター１０９を加熱空間１４の入口部に配置し、前記加熱空間１４には内気側に第３吐出口１５を備える。
【００３２】
ここで、加熱循環風路９を形成するための１ｃｍ程度の空間距離は、前述した熱交換器１０７のハニカム構造による通風路に比べて、空気抵抗が小さい開口広さとしたものである。
【００３３】
また、図２に示すように、これら第３の送風ファン１３およびヒーター１０９には発熱体収納装置１０１より供給される商用の交流電源１１１を予め設定された温度Ｔｔｈ（例えば、２５℃）を超えるとオフする温度スイッチ１６が接続されている。第１の送風ファン１０５と第２の送風ファン１０６および制御装置１０８には発熱体収納装置１０１に供給される交流電源１１１の入力電圧Ｖ０が発熱体収納装置１０１内の室温が発熱体収納装置１０１内に備えた通信機１０２やその他の機器（図示せず）が安定して稼動させるために機器メーカーが規定する所定の温度としての稼動温度Ｔ０（例えば２０℃）を越えないと動作しない交流直流変換装置１１２にて変換した直流電源１１３に接続され、前記ダンパー１０は、コントロール基板１１８により駆動制御される。すなわち、ダンパー１０は直流電源１１３が供給されて制御が行われるものであり、室内温度検知手段１８と外気温度検知手段１９が検知した室温ＴINが外気温ＴOUT以上になると駆動され加熱循環風路９を閉鎖すものである。また、直流電源１１３が供給されない状態では加熱循環風路９を開放しているものである。
【００３４】
また、図３に示すように、前記コントロール基板１１８には前記第１の送風ファン１０５と第２の送風ファン１０６およびダンパー１０を駆動制御するために運転指示手段１７が接続され、前記室温サーミスター７および外気温サーミスター８はこのコントロール基板１１８に備えた室内温度検知手段１８および外気温度検知手段１９に接続され、これら室内温度検知手段１８および外気温度検知手段１９の情報が前記コントロール基板１１８に備えた温度判断手段２０に伝わり、この温度判断手段２０の情報が前記運転指示手段１７に伝達される。
【００３５】
このような構成によれば、発熱体収納装置１０１の室温が所定の温度である稼動温度Ｔ０（例えば、２０℃）を超えている場合には、交流直流変換装置１１２が動作することとなり、直流電源１１３の出力電圧Ｖ１が出力されて、通信機１０２やその他の機器、そして冷却装置１０３に出力電圧Ｖ１が印加される。これら通信機１０２やその他の機器が運転すると、その発熱のため、発熱体収納装置１０１内の室温は徐々に上昇してくる。制御装置１０８では、室内温度検知手段１８の検知した室温ＴINと外気温度検知手段１９での検知した外気温ＴOUTが温度判断手段２０に伝わり、内外温度差ΔＴ（＝ＴIN−ＴOUT）が運転閾温度Ｔon（例えば、５℃）を超えると、運転指示手段１７に室温ＴINと外気温ＴOUTを伝達し、これら温度に応じて運転指示手段１７では第１の送風ファン１０５および第２の送風ファン１０６を予め設定された回転数にて駆動制御する。加えて、ＴIN≧Ｔ０であれば、ダンパー１０を駆動し、加熱循環風路９を塞ぐ。これにより、第１吸入口３と第
１吐出口４を通じて外気の循環で熱交換器１０７に外気が流れ、また、第２吸入口５と第２吐出口６を通じて内気の循環が起こり、ダンパー１０が閉じていることにより加熱循環風路９に内気が流れることなく熱交換器１０７に内気が流れ込むので、外気より高温である内気の熱がこの熱交換器１０７を通じて外気に熱伝導し、内気の温度が下がり、発熱体収納装置１０１内を冷却する。そして、内外温度差ΔＴが停止閾温度Ｔoff（例えば、３℃）を下回ったと温度判断手段２０より運転指示手段１７に伝わると運転指示手段１７では第１の送風ファン１０５および第２の送風ファン１０６を停止させると同時に、ダンパー１０を駆動し、塞がった加熱循環風路９を開ける。
【００３６】
一方、発熱体収納装置１０１の室温が稼動温度Ｔ０（例えば、２０℃）を下回っている場合には、交流直流変換装置１１２は動作しないので、直流電源１１３の出力電圧Ｖ１が出力されない。
【００３７】
従って、冷却装置１０３には交流電源１１１のみが入力され温度スイッチ１６が配置されている温度、すなわち内気の温度は、予め設定した温度として温度スイッチ１６がオフする温度Ｔｔｈを下回っているので温度スイッチ１６はオンしている状態であることから、第３の送風ファン１３およびヒーター１０９に交流電源１１１の入力電圧Ｖ０が通電されることとなり、第３の送風ファン１３は動作を始め、ヒーター１０９は加熱を始める。ヒーター１０９により加熱された内気は、この第３の送風ファン１３により、第３吐出口１５と第２吸入口５により内気の循環が起こり、多くの循環する内気は加熱循環風路９に流れて、熱交換器１０７にて外気に熱伝導することなく、内気の循環が繰り返されて、発熱体収納装置１０１内は暖められていく。そうして、内気の温度が稼動温度Ｔ０（例えば、２０℃）に達すると交流直流変換装置１１２が動作することとなり、直流電源１１３の出力電圧Ｖ１が出力されて、通信機１０２やその他の機器、そして冷却装置１０３に出力電圧Ｖ１が印加される。発熱体収納装置１０１が稼動状態となり、通信機１０２やその他の機器の運転が可能となる。ここで、室温は、通信機１０２やその他の機器、そして第３の送風ファン１３の動作とヒーター１０９の加熱により内気の温度が更に上昇し、温度スイッチ１６がオフする温度Ｔｔｈを超えると温度スイッチ１６がオフして、第３の送風ファン１３およびヒーター１０９への通電が停止し、冷却装置１０３の加熱動作が終わる。
【００３８】
こうして、直流により動作するダンパー１０により熱交換器１０７のバイパス風路である加熱循環風路９を遮蔽できるのは発熱体収納装置１０１の稼動している直流電源１１３の出力時と限定され、低温時に交流電源１１１のみが印加された状態で、ヒーター１０９により加熱された内気が第３の送風ファン１３の動作することで加熱された循環風の多くが、第２吸入口５から加熱循環風路９を通り、第３吐出口１５より吐出し、発熱体収納装置１０１を加熱することとなる。
【００３９】
以上のように、熱交換器１０７と本体ケース１０４の内気側に１ｃｍ程度の僅かな空間距離を設けたことにより、加熱された内気の多くが熱交換器１０７に流れることなく循環が起こり、従来の熱交換器１０７を通して加熱された内気の熱が外気に熱伝導されることを防ぎ、加熱効率の良い冷却装置を提供することができる。
【００４０】
また、ヒーター１０９を第３吐出口１５より奥まった位置に配置できるので、メンテナンス時の作業員の脚部が触れて火傷となる危険性がなくなり、火傷に対する安全性が高い冷却装置を提供することができる。
【００４１】
また、第１の送風ファン１０５を要するチャンバー１１内に断熱遮蔽板１２を設けたことにより冷却装置１０３の最下部に加熱空間１４を設置することで発熱体収納装置を底部より効率良く加熱することができる。
【００４２】
また、所定の温度としての稼動温度Ｔ０に対して、前記温度スイッチ１６をオフさせる予め設定した温度Ｔｔｈは、高く設定することで、通信機１０２やその他の機器が安定して動作する前にヒーター１０９への通電を止めずに、通信機１０２やその他の機器の稼動を援護することができる。
【００４３】
また、ヒーター１０９が、第３吐出口１５より奥まって配置されることにより、冷却装置１０３の試運転時やメンテナンス時に作業員の脚部（図示せず）が接近し、火傷などの障害を起こすことのない火傷に対して安全な冷却装置を提供することができる。
【００４４】
（実施の形態２）
さて、本実施の形態では、図４に示すとおり、実施の形態１において、加熱空間１４内に備えた第３の送風ファン１３、ヒーター１０９および温度スイッチ１６を加熱空間１４の内部寸法と合致した加熱ユニットケース２１に収め、本体ケース１０４の加熱空間１４側面部に前記加熱ユニットケース２１の側面広さと同等以上の開口部２２と開口カバー板２３を備えたものである。なお、実施の形態１と同一構成部分については、同一符号を用いてその詳細な説明は省略する。
【００４５】
これにより、第３の送風ファン１３、ヒーター１０９あるいは温度スイッチ１６の故障時、メンテナンス作業を行う作業者（特に図示せず）は発熱体収納装置１０１の扉部２を冷却装置１０３の本体ケース１０４の側面部が全て視認できる状態で、開口カバー板２３を外し、加熱ユニットケース２１を手前に引き出し、第３の送風ファン１３、ヒーター１０９あるいは温度スイッチ１６を点検確認することができる。
【００４６】
以上のように、加熱性能が所定の性能を出さない故障時に、ヒーター１０９あるいは第３の送風ファン１３あるいは温度スイッチ１６を点検する場合に冷却装置１０３が設置された扉部２を開けて本体ケース１０４の側面が露出しただけで加熱ユニットケース２１を取り出してこの加熱ユニットケース２１内部に備えたヒーター１０９あるいは第３の送風ファン１３あるいは温度スイッチ１６の短絡や開放故障の点検などを検査することができるので、発熱体収納装置１０１の扉部２前のスペースが狭く、扉部２の全開開放が困難な場合などメンテナンス性が良い冷却装置を提供することができる。
【００４７】
（実施の形態３）
さて、本実施の形態では、図５、図６および図７に示すとおり、実施の形態１において、加熱空間１４内に備えた第３の送風ファン１３およびヒーター１０９への交流電源１１１の通電を担う手段を温度スイッチ１６に代えて制御信号により開閉するスイッチ素子であるｂ接点形リレー２４としたもので、ｂ接点形リレー２４を加熱空間１４内に備え、このｂ接点形リレー２４と制御装置１０８を信号線２６で接続し、制御装置１０８内のコントロール基板１１８内に前記ｂ接点形リレー２４を駆動する駆動手段２７を備え、この駆動手段２７には温度判断手段２０からの情報が伝達されたものである。なお、実施の形態１と同一構成部分については、同一符号を用いてその詳細な説明は省略する。
【００４８】
これにより、発熱体収納装置１０１の室温ＴINが稼動温度Ｔ０（例えば、２０℃）を越えていると温度判断手段２０が判断した情報が駆動手段２７に伝達されると駆動手段２７から信号線２６を通じて、ｂ接点形リレーの接点を開とする信号が送られて、第３の送風ファン１３およびヒーター１０９への交流電源１１１の通電が遮断され、ヒーター１０９による内気の加熱が起きないようにする。と同時に、室温ＴINが稼動温度Ｔ０（例えば、２０℃）を越えていると温度判断手段２０が判断した情報が運転指示手段１７に伝達されて、ダンパー１０が加熱循環風路９を塞がないように動作させる。
【００４９】
一方、発熱体収納装置１０１の室温ＴINが稼動温度Ｔ０（例えば、２０℃）を越えてい
ない場合は、直流電源１１３の出力がないために制御装置１０８が動作していないので、ｂ接点形リレー２４には駆動信号が入らないが、この場合はｂ接点形のために通常接点が閉であるため、交流電源１１１からの入力電圧Ｖ０が第３の送風ファン１３およびヒーター１０９へ通電されるので、第３の送風ファン１３は動作を始め、ヒーター１０９は加熱を始める。ヒーター１０９により加熱された内気は、この第３の送風ファン１３により、第３吐出口１５と第２吸入口５により内気の循環が起こり、多くの循環する内気は加熱循環風路９に流れて、熱交換器１０７にて外気に熱伝導することなく、内気の循環が繰り返されて、発熱体収納装置１０１内は暖められていく。そうして、室温ＴINが稼動温度Ｔ０（例えば、２０℃）に達すると交流直流変換装置１１２が動作することとなり、直流電源１１３の出力電圧Ｖ１が出力されて、通信機１０２やその他の機器、そして冷却装置１０３に出力電圧Ｖ１が印加される。発熱体収納装置１０１が稼動状態となり、通信機１０２やその他の機器の運転が可能となる。ここで、室温ＴINは、通信機１０２やその他の機器、そして第３の送風ファン１３の動作とヒーター１０９の加熱により、更に上昇しようとするが、動作を始めたコントロール基板１１８の温度判断手段２０で室温ＴINが稼動温度Ｔ０（例えば２０℃）を超えたことを駆動手段２７に伝達して、直ぐに、駆動手段２７から信号線２６を通じて、ｂ接点形リレー２４の接点を開とする信号が送られて、第３の送風ファン１３およびヒーター１０９への交流電源１１１の通電が遮断され、ヒーター１０９による内気の加熱が起きないようにする。と同時に、室温ＴINが稼動温度Ｔ０（例えば、２０℃）を越えていると温度判断手段２０が判断した情報が運転指示手段１７に伝達されて、ダンパー１０が加熱循環風路９を塞がないように動作させる。
【００５０】
以上のように、熱交換器１０７と本体ケース１０４の内気側に１ｃｍ程度の僅かな空間距離を設けたことにより、加熱された内気の多くが熱交換器１０７に流れることなく循環が起こり、従来の熱交換器１０７を通して加熱された内気の熱が外気に熱伝導されることを防ぎ、加熱効率の良い冷却装置を提供することができる。
【００５１】
また、ヒーター１０９を第３吐出口１５より奥まった位置に配置できるので、メンテナンス時の作業員の脚部が触れて火傷となる危険性がなくなり、火傷に対する安全性が高い冷却装置を提供することができる。
【００５２】
また、温度スイッチ１６の温度検出ばらつきや温度スイッチの配置の構成に比較し、加熱の必要ない時にヒーター１０９および第３の送風ファン１３への通電を遮断することができるので電力消費に無駄のない低消費電力となる冷却装置を提供することができる。
【００５３】
（実施の形態４）
さて、本実施の形態では、図８に示すとおり、実施の形態３において、ｂ接点形リレー２４と直列に温度スイッチ１６を接続し、加熱空間１４内に備えたものである。なお、実施の形態１乃至３と同一構成部分については、同一符号を用いてその詳細な説明は省略する。
【００５４】
これにより、加熱空間１４内に備えたｂ接点形リレー２４の接点が何かの理由で発熱体収納装置１０１内の室温ＴINが稼動温度Ｔ０を超えた場合でも開とならない場合、例えば、ｂ接点形リレー２４自身の故障によるもの、コントロール基板１１８の故障により駆動手段２７が動作しない、あるいは、信号線２６の断線が起きた場合などで、ヒーター１０９および第３の送風ファン１３に通電が続き、不要意な加熱動作が継続する場合に、温度スイッチ１６がオフする温度Ｔｔｈ（例えば２５℃）を超えると温度スイッチ１６がオフして、第３の送風ファン１３およびヒーター１０９への通電が停止し、冷却装置１０３の加熱動作が強制的に終わる。
【００５５】
このように、ｂ接点形リレー２４と直列に温度スイッチ１６を接続したことにより、温
度スイッチ１６の動作する温度とスイッチ素子の動作する温度を異なる値にすることができるので、温度スイッチ１６を強制的に第３の送風ファン１３およびヒーター１０９への通電が停止させる過温度保護機能としてすることができ火傷に対する安全性を有する冷却装置を提供することができる。
【００５６】
（実施の形態５）
さて、本実施の形態では、図９および図１０に示すとおり、実施の形態３において、第３の送風ファン１３およびヒーター１０９への交流電源１１１への通電をｂ接点形リレー２４のみで制御していたものを第３の送風ファン１３用に第１のスイッチ素子として第１のｂ接点形リレー２８を、ヒーター１０９用に第２のスイッチ素子として第２のｂ接点形リレー２９を、加熱空間１４内に備え、これら第１のａ接点形リレー２８および第２のａ接点形リレー２９と制御装置１０８を信号線２６ａで接続し、これら第１のｂ接点形リレー２８および第２のｂ接点形リレー２９をコントロール基板１１８に備えた駆動手段２７にて動作制御するものである。また、温度判断手段２０の情報が駆動手段２７に直接伝達されると同時に、コントロール基板１１８に備えた計時手段３０を経由して伝達されるものである。実施の形態１乃至４と同一構成部分については、同一符号を用いてその詳細な説明は省略する。
【００５７】
これにより、発熱体収納装置１０１の室温ＴINが稼動温度Ｔ０（例えば、２０℃）を越えていると温度判断手段２０が判断した情報が駆動手段２７に伝達されると駆動手段２７から信号線２６ａを通じて、第１のｂ接点形リレー２８および第２のｂ接点形リレー２９の接点を開とする信号が送られて、第３の送風ファン１３およびヒーター１０９への交流電源１１１の通電が遮断され、ヒーター１０９による内気の加熱が起きないようにする。と同時に、室温ＴINが稼動温度Ｔ０（例えば、２０℃）を越えていると温度判断手段２０が判断した情報が運転指示手段１７に伝達されて、ダンパー１０が加熱循環風路９を塞がないように動作させる。この後、更に発熱体収納装置１０１の室温ＴINが上昇していき、第２の送風ファン１０６の回転数を最大としても発熱体収納装置１０１内の通信機１０２やその他の機器が安定的に動作できる動作上限温度Ｔ１（例えば、８０℃）から低めの温度で余裕を見た警告温度Ｔ２（例えば、６５℃）を室温ＴINが超えたと温度判断手段２０が判断した場合に、駆動手段２７にその情報を伝達し、駆動手段２７から信号線２６ａを通じて、第１のｂ接点形リレー２８の接点を閉とする信号が送られて第３の送風ファン１３への交流電源１１１の通電を行い第３の送風ファン１３を動作させて、内気の循環を第２吐出口６だけでなく第３吐出口１５からも積極的に行い、内気の冷却をする。
【００５８】
一方、発熱体収納装置１０１の室温ＴINが稼動温度Ｔ０（例えば、２０℃）を越えていない場合は、直流電源１１３の出力がないために制御装置１０８が動作していないので、第１のｂ接点形リレー２８および第２のｂ接点形リレー２９には駆動信号が入らないが、この場合接点の構成はｂ接点形のために通常接点が閉であるため、交流電源１１１からの入力電圧Ｖ０が第３の送風ファン１３およびヒーター１０９へ通電されるので、第３の送風ファン１３は動作を始め、ヒーター１０９は加熱を始める。ヒーター１０９により加熱された内気は、この第３の送風ファン１３により、第３吐出口１５と第２吸入口５により内気の循環が起こり、多くの循環する内気は加熱循環風路９に流れて、熱交換器１０７にて外気に熱伝導することなく、内気の循環が繰り返されて、発熱体収納装置１０１内は暖められていく。そうして、室温ＴINが稼動温度Ｔ０（例えば、２０℃）に達すると交流直流変換装置１１２が動作することとなり、直流電源１１３の出力電圧Ｖ１が出力されて、通信機１０２やその他の機器、そして冷却装置１０３に出力電圧Ｖ１が印加される。発熱体収納装置１０１が稼動状態となり、通信機１０２やその他の機器の運転が可能となる。ここで、室温ＴINは、通信機１０２やその他の機器、そして第３の送風ファン１３の動作とヒーター１０９の加熱により、更に上昇しようとするが、動作を始めたコントロール基板１１８の温度判断手段２０で室温ＴINが稼動温度Ｔ０（例えば２０℃）を超えたことを
駆動手段２７に伝達して、直ぐに、駆動手段２７から信号線２６ａを通じて、まずは、第２のｂ接点形リレー２９の接点を開とする信号が送られてヒーター１０９への交流電源１１１の通電が遮断され、ヒーター１０９による内気の加熱が起きないようにする。と同時に、室温ＴINが稼動温度Ｔ０（例えば、２０℃）を越えていると温度判断手段２０が判断した情報が運転指示手段１７に伝達されて、ダンパー１０が加熱循環風路９を塞がないように動作させる。その後、計時手段３０にてほどなくして（例えば３０秒）が経過されたことが駆動手段２７に伝達され、駆動手段２７から信号線２６ａを通じて、第１のｂ接点形リレー２８の接点を開とする信号が送られて第３の送風ファン１３への交流電源１１１の通電が遮断され第３の送風ファン１３が動作を停止し、第３の送風ファン１３およびヒーター１０９により内気の加熱が起きないようにする。ヒーター１０９の加熱が停止し、第３の送風ファン１３が動作している間（例えば、３０秒）で、加熱されたヒーター１０９が冷却されている。と同時に、室温ＴINが稼動温度Ｔ０（例えば、２０℃）を越えていると温度判断手段２０が判断した情報が運転指示手段１７に伝達されて、ダンパー１０が加熱循環風路９を塞がないように動作させる。
【００５９】
以上のように、ヒーター１０９および第３の送風ファン１３への交流電源１１１を通電するスイッチ素子を個別に用意したことにより、ヒーター１０９および第３の送風ファン１３への通電を遮断するタイミングをずらすことができるので、ヒーター１０９への通電遮断後も第３の送風ファン１３への通電を続けることにより加熱したヒーター１０９自身を冷却することができ火傷に対する安全性を有する冷却装置を提供することができる。
【００６０】
また、第３の送風ファン１３のみ交流電源１１１を通電することにより第３の送風ファン１３が駆動することにより第２の送風ファン１０６による内気の循環量を補完することにより発熱体収納装置１０１内の内気の循環量を増大させて発熱体収納装置１０１内の内気を冷却する冷却性能の向上が図れる冷却装置を提供することができる。
【００６１】
（実施の形態６）
さて、本実施の形態では、図１１に示すとおり、実施の形態５において、冷却装置１０３に供給される直流電源１１３の出力電圧Ｖ１を監視する直流電源監視手段３１をコントロール基板１１８に備えて、この直流電源監視手段３１の信号出力を、直接に、および計時手段３０を経由して駆動手段２７に伝達するものである。なお、実施の形態１乃至４と同一構成部分については、同一符号を用いてその詳細な説明は省略する。
【００６２】
これにより、発熱体収納装置１０１の室温が発熱体収納装置１０１内に備えた通信機１０２やその他の機器（図示せず）が安定して稼動する稼動温度Ｔ０（例えば、２０℃）を超えている場合には、交流直流変換装置１１２が動作することとなり、直流電源１１３の出力電圧Ｖ１が出力されて、通信機１０２やその他の機器、そして冷却装置１０３に出力電圧Ｖ１が印加されている。この印加された直流電源１１３の出力電圧Ｖ１を直流電源監視手段３１が検知しており出力電圧Ｖ１が印加されたことを駆動手段２７および運転指示手段１７に伝達するとともに計時手段３０にも伝達し、計時手段３０では予め決められた遅延時間（例えば３０秒）が経過すると駆動手段２７に入力された情報を伝達する。駆動手段２７では、これらの入力信号を受けて、信号線２６ａを通じて、それぞれ第１のｂ接点形リレー２８および第２のｂ接点形リレー２９の接点を開とする信号を送り、第３の送風ファン１３およびヒーター１０９への交流電源１１１の通電が遮断され、ヒーター１０９による内気の加熱が起きないようにする。と同時に、運転指示手段１７はダンパー１０が加熱循環風路９を塞がないように動作させる。この後、発熱体収納装置１０１の室温ＴINが上昇していき、第２の送風ファン１０６の回転数を最大としても発熱体収納装置１０１内の通信機１０２やその他の機器が安定的に動作できる動作上限温度Ｔ１（例えば、８０℃）から低めの温度で余裕を見た警告温度Ｔ２（例えば、６５℃）を室温ＴINが超えたと温度判断手段２０が判断した場合に、駆動手段２７にその情報を伝達し、駆動手段２７
から信号線２６ａを通じて、第１のｂ接点形リレー２８の接点を閉とする信号が送られて第３の送風ファン１３への交流電源１１１の通電を行い第３の送風ファン１３を動作させて、内気の循環を第２吐出口６だけでなく第３吐出口１５からも積極的に行い、内気の冷却をする。
【００６３】
一方、発熱体収納装置１０１の室温ＴINが稼動温度Ｔ０（例えば、２０℃）を越えていない場合は、直流電源１１３の出力がないために制御装置１０８が動作していないので、第１のｂ接点形リレー２８および第２のｂ接点形リレー２９には駆動信号が入らないが、この場合はｂ接点形のために通常接点が閉であるため、交流電源１１１からの入力電圧Ｖ０が第３の送風ファン１３およびヒーター１０９へ通電されるので、第３の送風ファン１３は動作を始め、ヒーター１０９は加熱を始める。ヒーター１０９により加熱された内気は、この第３の送風ファン１３により、第３吐出口１５と第２吸入口５により内気の循環が起こり、多くの循環する内気は加熱循環風路９に流れて、熱交換器１０７にて外気に熱伝導することなく、内気の循環が繰り返されて、発熱体収納装置１０１内は暖められていく。そうして、室温ＴINが稼動温度Ｔ０（例えば、２０℃）に達すると交流直流変換装置１１２が動作することとなり、直流電源１１３の出力電圧Ｖ１が出力されて、通信機１０２やその他の機器、そして冷却装置１０３に出力電圧Ｖ１が印加される。この印加された直流電源１１３の出力電圧Ｖ１を直流電源監視手段３１が検知しており出力電圧Ｖ１が印加されたことを駆動手段２７および運転指示手段１７に伝達するとともに計時手段３０にも伝達し、計時手段３０では予め決められた遅延時間（例えば３０秒）が経過すると駆動手段２７に入力された情報を伝達する。直ぐに、駆動手段２７から信号線２６ａを通じて、まずは、第２のｂ接点形リレー２９の接点を開とする信号が送られてヒーター１０９への交流電源１１１の通電が遮断され、ヒーター１０９による内気の加熱が起きないようにする。と同時に、運転指示手段１７はダンパー１０が加熱循環風路９を塞がないように動作させる。その後、計時手段３０にてほどなくして（例えば３０秒）が経過して駆動手段２７に情報が伝達され、駆動手段２７から信号線２６ａを通じて、第１のｂ接点形リレー２８の接点を開とする信号が送られて第３の送風ファン１３への交流電源１１１の通電が遮断され第３の送風ファン１３が動作を停止し、第３の送風ファン１３およびヒーター１０９により内気の加熱が起きないようにする。ヒーター１０９の加熱が停止し、第３の送風ファン１３が動作している間（例えば、３０秒）で、加熱されたヒーター１０９が冷却されている。
【００６４】
以上のように、直流電源１１３の出力電圧Ｖ１を監視する直流電源監視手段３１を制御装置１０８に備えたことにより、直流電源１１３が供給されるということは交流直流変換装置１１２が動作したことを示し、つまり、発熱体収納装置１０１内の室温ＴINがある稼動温度Ｔ０に達し、発熱体収納装置１０１の稼動が可能となった状態を示したこととなるので、加熱するためにヒーター１０９および第３の送風ファン１３への通電を行う必要はなく無駄な電力を要しない低消費電力が実現できる冷却装置を提供することができる。
【００６５】
ここでは、電源監視行う実施例を実施の形態６にて説明したが、形態３乃至４で行うことも上述の動作を見れば明らかであり、作用効果に差はない。
【産業上の利用可能性】
【００６６】
本発明にかかる冷却装置は、発熱体収納装置に備えた所定の温度以上で動作する直流電源から電源の供給を受けてこの発熱体収納装置内の冷却を行なう冷却装置であって、第１環境用の第１吸気口と第１吐出口および第２環境用の第２吸気口と第２吐出口を有する本体ケースと、前記第１吸気口は本体ケース下部に、前記第２吸気口は本体ケース上部にあって、この本体ケース内に設けられた第１環境用の第１の送風ファンおよび第２環境用の第２の送風ファンと、前記本体ケース内において第１環境の空気と第２環境の空気との熱交換を行う熱交換器と、前記第１および第２の送風ファンの制御を行う制御手段としての
制御装置とを備えた本体と、この本体には、前記熱交換器をバイパスして前記第２環境の空気を循環させて加熱する加熱循環風路と、前記加熱循環風路の空気を送風する第３の送風ファンとを備え、前記加熱循環風路は、第２吸気口の内側に備えて第２環境の空気を加熱循環風路内へ案内するダンパーと、本体ケース下部に配置して加熱循環風路内の空気を加熱する加熱空間と、前記加熱空間と第２環境を連通する第３吐出口を備え、前記ダンパーは、発熱体収納装置に備えた直流電源に接続され前記制御装置によって動作させるとともに、前記加熱空間に設けた前記第３の送風ファンおよび加熱手段としてのヒーターは、発熱体収納装置より供給される商用の交流電源に接続され前記所定の温度よりも高い温度に予め設定された温度を超えるとオフする温度スイッチにより動作させるという構成を有する。これにより、発熱体収納装置内を加熱する際に、加熱循環風路の上部に設けたダンパーを開状態のままとし、前記第３の送風ファンおよびヒーターに交流電源が温度スイッチを通じて通電されて動作し、加熱された内気の多くが加熱循環風路を通じて循環するので熱逃げが少なく、また、過熱部を冷却装置の最下部に設置することにより発熱体収納装置を底部より効率良く加熱することができる。従って、例えば、通信機器の基地局や、その他屋外設置機器における冷却設備としてきわめて有用なものとなる。
【符号の説明】
【００６７】
５      第２吸入口
７      室温サーミスター
８      外気温サーミスター
９      加熱循環風路
１０    ダンパー
１３    第３の送風ファン
１４    加熱空間
１５    第３吐出口
１６    温度スイッチ
１７    運転指示手段
１８    室内温度検知手段
１９    外気温度検知手段
２０    温度判断手段
２１    加熱ユニットケース
２２    開口部
２３    開口カバー板
２４    ｂ接点形リレー
２６    信号線
２６ａ  信号線
２７    駆動手段
２８    第１のｂ接点形リレー
２９    第２のｂ接点形リレー
３０    計時手段
３１    直流電源監視手段
【図１】
0005887480.tif 000002
【図２】
0005887480.tif 000003
【図３】
0005887480.tif 000004
【図４】
0005887480.tif 000005
【図５】
0005887480.tif 000006
【図６】
0005887480.tif 000007
【図７】
0005887480.tif 000008
【図８】
0005887480.tif 000009
【図９】
0005887480.tif 000010
【図１０】
0005887480.tif 000011
【図１１】
0005887480.tif 000012
【図１２】
0005887480.tif 000013
【図１３】
0005887480.tif 000014
【図１４】
0005887480.tif 000015